(57)【要約】【課題】簡易な構成でありながら、開閉ケースの開閉を信頼性良く検知できるレコーダーを提供すること。【解決手段】本発明のレコーダーは、記録紙収容部を閉塞する閉状態と記録紙収容部を露出する開状態とを取り得る開閉ケース１１０と、開閉ケース１１０の開閉動作に連動して回転する回転部材３１０と、回転部材３１０の回転方向の移動を回転半径方向への移動に変換して、押し込みスイッチ４０２を押し込むことにより開閉ケース１１０の開閉を検知する開閉センサー４００と、を有する。【選択図】図８
2020075463.tif 000002
【特許請求の範囲】
【請求項１】
記録紙に印字を行うレコーダーであって、
記録紙収容部を閉塞する閉状態と前記記録紙収容部を露出する開状態とを取り得る開閉ケースと、
前記開閉ケースの開閉動作に連動して回転する回転部材と、
前記回転部材の回転方向の移動の全部又は一部を回転半径方向への移動に変換して押し込みスイッチを押し込むことにより、前記開閉ケースの開閉を検知する開閉センサーと、
を具備するレコーダー。
【請求項２】
前記開閉センサーは、
前記回転部材が当接し、前記回転部材の回転方向の移動を回転半径方向への移動に変換する変換部材と、
前記変換部材の前記回転半径方向への移動により押し込み量が変化される押し込みスイッチと、
を有する、
請求項１に記載のレコーダー。
【請求項３】
前記記録紙にはロール紙が含まれ、
前記回転部材は、前記ロール紙が取り付けられるロール紙取付部に設けられ前記開閉ケースの開閉に応じて回転することにより、前記ロール紙取付部の出没部材の出没を規制するベース部である、
請求項１又は２に記載のレコーダー。
【発明の詳細な説明】
【技術分野】
【０００１】
本発明は、ロール紙や折畳紙等の記録紙に印字を行うレコーダーに関する。
【背景技術】
【０００２】
従来、例えば心電計においては、心電図の測定や表示を行う装置本体にレコーダーが一体に設けられ、測定結果を記録紙に記録できるようになされたものがある（例えば特許文献１参照）。心電計のレコーダー（以下、単にレコーダーと呼ぶ）には、通常、記録紙としてロール紙や折畳紙等の連続紙が用いられている。また、心電計では、一般に装置の構成を簡単化・小型化するために、サーマルヘッドを用いた感熱記録方式が採用されている。
【先行技術文献】
【特許文献】
【０００３】
【特許文献１】特開２０１５−１１０４６７号公報
【発明の概要】
【発明が解決しようとする課題】
【０００４】
ところで、上述したようなレコーダーにおいては、開閉ケースが設けられており、当該開閉ケースは、記録紙収容部を閉塞する閉状態と記録紙収容部を露出する開状態とを取り得るようになっている。ユーザーは、印字時には開閉ケースを閉状態とし、記録紙の出し入れ時には開閉ケースを開状態とする。
【０００５】
また、レコーダーには開閉ケースの開閉状態を検知する開閉センサーが設けられている。例えば開閉ケースが完全に閉じられていないと開閉センサーがこれを検知し、その状態でレコーダーを動作させようとすると、レコーダーは印字を中止したり、表示部にこのことを知らせる警告が表示される。
【０００６】
ここで、開閉センサーとしては、誤検知をできるだけ回避するために、光学式のセンサーではなく、機械式のセンサーが用いられることが多い。機械式のセンサーとしては一般に押し込み式のスイッチが用いられる。例えば開閉ケースが閉状態となったときに、開閉ケースに設けられた突起等が押し込み式のスイッチを押し込むことで開閉ケースが閉状態となったこと（換言すれば開閉ケースがロック状態となったこと）を検知する。
【０００７】
しかしながら、開閉ケースの突起によって押し込みスイッチを押し込み過ぎることが原因となって、押し込みスイッチが破損するおそれがある。
【０００８】
これを回避する一つの方法として、押し込みスイッチを何等かの緩衝部品を介して押し込むことが考えられるが、このようにすると、部品点数の増加及び構造の複雑化を招く。
【０００９】
本発明は、以上の点を考慮してなされたものであり、簡易な構成でありながら、開閉ケースの開閉を信頼性良く検知できるレコーダーを提供する。
【課題を解決するための手段】
【００１０】
本発明のレコーダーの一つの態様は、
記録紙に印字を行うレコーダーであって、
記録紙収容部を閉塞する閉状態と前記記録紙収容部を露出する開状態とを取り得る開閉ケースと、
前記開閉ケースの開閉動作に連動して回転する回転部材と、
前記回転部材の回転方向の移動の全部又は一部を回転半径方向への移動に変換して押し込みスイッチを押し込むことにより、前記開閉ケースの開閉を検知する開閉センサーと、
を具備する。
【発明の効果】
【００１１】
本発明によれば、開閉ケースの開閉動作に連動して回転する回転部材の回転方向の移動を回転半径方向への移動に変換して押し込みスイッチを押し込む構成としたことにより、簡易な構成でありながら、開閉ケースの開閉を信頼性良く検知できるレコーダーを実現できる。
【図面の簡単な説明】
【００１２】
【図１】本実施の形態に係る心電計の上面図
【図２】開閉ケースが開状態となったときの心電計の上面図
【図３】開閉ケースが開状態となったときの心電計の斜視図
【図４】ロール紙取付部の説明に供する図
【図５】ロール紙取付部及び開閉センサーの説明に供する図
【図６】図６Ａはロール紙取付部の中立状態を示す図、図６Ｂはロール紙取付部の没状態を示す図、図６Ｃはロール紙取付部の突出ロック状態を示す図
【図７】ベース部とケースの関係に着目した図４のＡ−Ａ’断面図
【図８】図８Ａは開閉ケースが開状態のときのロール紙取付部及び開閉センサーの状態を示す図、図８Ｂは開閉ケースが閉状態のときのロール紙取付部及び開閉センサーの状態を示す図
【発明を実施するための形態】
【００１３】
以下、本発明の実施の形態を、図面を参照して説明する。
【００１４】
＜心電計の全体構成＞
図１、図２及び図３は、本発明の実施の形態に係る心電計１０の外観構成を示す図である。より具体的には、図１は開閉ケース１１０を閉じた状態を示す上面図であり、図２は開閉ケース１１０を開いた状態を示す上面図であり、図３は開閉ケース１１０を開いた状態を示す斜視図である。
【００１５】
心電計１０は、大きく分けて、レコーダー１００と装置本体２００とから構成されている。
【００１６】
装置本体２００には、表示部２１０及び操作部２２０等が設けられている。また、装置本体２００の内部には、演算や動作制御を行う制御部や、増幅部、心電用電極等を接続するためのインターフェース部等が設けられている。表示部２１０には、測定結果である心電図等が表示される。なお、測定結果である生体情報は、自装置で演算により取得してもよいし、他装置から受け取って取得してもよい。操作部２２０には、各種のキーや、電源スイッチ、スタート／ストップスイッチ等（図示せず）が設けられている。なお、本実施の形態の心電計１０は、表示部２１０がタッチパネル構成とされており、表示部２１０に各種設定画面や動作メニュー画面を表示し、これを用いて各種設定や動作指示を入力することもできる。
【００１７】
＜レコーダーの概略構成＞
図１から分かるように、レコーダー１００には、開ボタン１０１、排紙口１０２及び開閉ケース１１０が設けられている。心電図が記録された記録紙は排紙口１０２から排出される。
【００１８】
レコーダー１００には、開ボタン１０１に連動するロック爪１０３（図２、図３）が設けられており、このロック爪１０３が開閉ケース１１０の内面に設けられたロック爪１０４（図３）に係合することにより、開閉ケース１１０が閉状態でロックされる。ユーザーによって開ボタン１０１が押圧操作されると、これに連動してロック爪１０３がロック開放位置に回転することにより、開閉ケース１１０のロックが解除される。開閉ケース１１０は、ロックが解除された後にユーザーによって開方向に回転されると、図２及び図３に示すような開状態となる。
【００１９】
また、レコーダー１００には、サーマルヘッド１２０、プラテンローラー１３０、記録紙収容部１４０等が設けられている。プラテンローラー１３０は、開閉ケース１１０の開端に取り付けられており、開閉ケース１１０が図１に示すような閉状態とされたときにサーマルヘッド１２０に当接し、図２及び図３に示すような開状態とされたときにサーマルヘッド１２０から離間する。
【００２０】
図１のように開閉ケース１１０が閉じた状態において、サーマルヘッド１２０とプラテンローラー１３０との間に下方向から折畳紙等の記録紙が進入し、記録紙はプラテンローラー１３０の回転によって上方向に紙送りされ、これと同時にサーマルヘッド１２０によって感熱記録が行われる。このようにして、折畳紙等の記録紙に心電図が記録される。
【００２１】
ここで、開閉ケース１１０は回転軸１１１によって回転自在に軸支されている。開閉ケース１１０は、記録紙収容部１４０を閉塞する閉状態と記録紙収容部１４０を露出する開状態とを取り得る。開閉ケース１１０は、手動にて回転軸１１１を回転中心として回転させることができるようになっている。開閉ケース１１０の開状態において、ユーザーは、記録紙収容部１４０にロール紙や折畳紙等の記録紙の出し入れを行うことができる。
【００２２】
レコーダー１００内には一対のロール紙取付部３００が設けられている。ロール紙取付部３００は、心電計１０の前側及び後側にそれぞれ１つずつ設けられており、ロール紙を回転自在に保持する。ロール紙取付部３００の詳細については後述する。
【００２３】
また、レコーダー１００内には開閉ケース１１０の開閉を検知する開閉センサー４００が設けられている。本実施の形態の場合、開閉センサー４００は、前側のロール紙取付部３００の近傍に設けられている。
【００２４】
＜ロール紙取付部＞
図４、図５及び図６は、ロール紙取付部３００の説明に供する図である。前側のロール紙取付部３００と後側のロール紙取付部３００はほぼ同様の構成なので、ここでは前側のロール紙取付部３００について説明する。前側のロール紙取付部３００と後側のロール紙取付部３００の違いは、前側のロール紙取付部３００が開閉センサー４００を動作させるための構成を有しているのに対して、後側のロール紙取付部３００はこれを有していないことである。
【００２５】
ロール紙取付部３００は、円筒形状のベース部３１０と、ベース部３１０の中空部分に配されるペーパー押さえ部３３０と、を有する。
【００２６】
ベース部３１０は、レコーダー１００のシャーシに回転自在に取り付けられている。ベース部３１０にはコイルバネ３１１の一端が取り付けられている。コイルバネ３１１の他端はレコーダー１００のシャーシに取り付けられている。これにより、ベース部３１０はコイルバネ３１１によって開閉ケース１１０の開方向に付勢されている。
【００２７】
また、ベース部３１０には、開閉ケース１１０の当接部１１２が当接する第１のアーム３１２と、開閉センサー４００を動作させる第２のアーム３１３と、が形成されている。
【００２８】
さらに、ベース部３１０の外周部分の一部には、第１の切欠３１４、第２の切欠３１５、第３の切欠３１６が形成されている。第１及び第２の切欠３１４、３１５は、それぞれ、ベース部３１０の円周方向に亘って形成されている。第１の切欠３１４は、第２の切欠３１５よりもベース部３１０の開端側に形成されている。第３の切欠３１６は、第１の切欠３１４と第２の切欠３１５を繋ぐように形成されている。
【００２９】
ペーパー押さえ部３３０は、三角錐形状の出没部材３３１を有する。出没部材３３１はコイルバネ３３２を介してレコーダー１００のシャーシに回転自在に取り付けられている。これにより、出没部材３３１は、コイルバネ３３２によって、先端部分がベース部３１０から突出する方向に付勢されている。つまり、出没部材３３１は、ベース部３１０に出没自在に収容され、突出状態においてロール紙を回転自在に支持する。また、出没部材３３１は、ベース部３１０に対して相対的に回転させることができる。
【００３０】
出没部材３３１には突起３３３が形成されており、突起３３３は、出没部材３３１とベース部３１０との回転方向の相対位置に応じて、第１の切欠３１４、第２の切欠３１５又は第３の切欠３１６のいずれかの位置に遷移する。
【００３１】
ここで、第１の切欠３１４は、出没部材３３１が図４に示したような突出状態となったときの突起３３３の真横に形成されている。これにより、突起３３３は、出没部材３３１が突出状態にあるときにベース部３１０が出没部材３３１に対して相対的に回転すると、第１の切欠３１４に入り込むことができるようになっている。
【００３２】
次に、本実施の形態のロール紙取付部３００の動作について、図６を用いて説明する。
【００３３】
図６Ａはロール紙取付部３００の中立状態を示す図である。このとき、出没部材３３１の突起３３３は第３の切欠３１６の位置にあり、出没部材３３１はベース部３１０からロール紙の方向に突出した状態にある。
【００３４】
図６Ｂはロール紙取付部３００の没状態を示す図である。このとき、出没部材３３１の突起３３３は第２の切欠３１５の位置にあり、出没部材３３１はベース部３１０内に引っ込んだ状態にある。
【００３５】
図６Ｃはロール紙取付部３００の突出ロック状態を示す図である。このとき、出没部材３３１の突起３３３は第１の切欠３１４の位置にあり、出没部材３３１はベース部３１０からロール紙の方向に突出した状態にロックされている。
【００３６】
・ロール紙使用時
ロール紙使用時に、ユーザーは、出没部材３３１を指で回転させることで図６Ａに示したような中立状態にし、次に出没部材３３１のテーパ面にロール紙の端部を押し当てながら出没部材３３１を引っ込ませる。やがて、ロール紙の筒に出没部材３３１が入り込んで出没部材３３１が突出状態となる。このようにして、ロール紙取付部３００にロール紙が取り付けられる。
【００３７】
次に、ユーザーが開閉ケース１１０を閉じていくと、開閉ケース１１０の当接部１１２がベース部３１０の第１のアーム３１２に当接しながら、ベース部３１０を回転させる。この結果、図６Ｃに示したように、ベース部３１０が出没部材３３１に対して相対的に回転し、出没部材３３１の突起３３３が第１の切欠３１４に入り込む。これにより、出没部材３３１は、第１の切欠３１４によって引っ込み方向への移動が規制され、突出状態が維持された突出ロック状態とされる。
【００３８】
よって、開閉ケース１１０を閉じれば出没部材３３１が突出ロック状態とされるので、心電計１０の移動時等にロール紙や出没部材３３１に力が加わった場合でも出没部材３３１が引っ込むことがない。この結果、出没部材３３１からのロール紙の脱落を防止できる。
【００３９】
・折畳紙使用時
折畳紙使用時に、ユーザーは、出没部材３３１を指で引っ込めながら回転させることで図６Ｂに示したような没状態にする。これにより、出没部材３３１を折畳紙の出し入れの邪魔にならない没位置に維持させることができる。この状態において、ユーザーは、折畳紙の出し入れを行う。
【００４０】
なお、図４及び図６等では図を簡単化するために、ベース部３１０及びペーパー押さえ部３３０を抜粋して示してあるが、実際には、ベース部３１０及びペーパー押さえ部３３０は、出没部材３３１が出没可能な状態で、ケースによって覆われている。このケースはレコーダー１００のシャーシに固定されている。
【００４１】
図７は、図４のＡ−Ａ’断面である。なお、図７は、ベース部３１０と上述のケース５００の関係に着目した断面図であり、出没部材３３１等は省略してある。図７から分かるように、ケース５００には、ベース部３１０の外周側及び内周側を覆うようなリブが形成されている。このリブの一部は、第２の切欠３１５内に若干突き出ている。よって、突起３３３が第２の切欠３１５内に進入した際には、突起３３３はコイルバネ３３２の付勢力によってリブ５０１の先端に押し当てられた状態となる。なお、リブ５０１は、ベース部３１０とは別体であり、突起３３３が第２の切欠３１５内で出没部材３３１が突出方向に付勢されながら当接する当接部材と言うことができる。
【００４２】
つまり、出没部材３３１が図６Ｂに示すような没位置にあり、突起３３３が第２の切欠３１５内に進入した際には、突起３３３は第２の切欠３１５の切欠面ではなく切欠面から若干突き出ているリブ５０１に押し当てられている。
【００４３】
この状態において、ユーザーが開閉ケース１１０を閉じていくと、開閉ケース１１０の当接部１１２がベース部３１０の第１のアーム３１２に当接しながら、ベース部３１０を回転させる。この結果、突起３３３は、第２の切欠３１５の位置から第３の切欠３１６の位置に移動することになるが、リブ５０１に支持されているので、図６Ａに示したような突出方向には移動しない。よって、開閉ケース１１０を閉じても、突出部材３３１は突出せずに没位置のまま維持される。
【００４４】
＜開閉検知機構＞
次に、本実施の形態による開閉ケース１１０の開閉検知機構について、図８を用いて説明する。
【００４５】
ロール紙取付部３００の近傍には、開閉センサー４００が設けられている。開閉センサー４００は、センサー本体４０１と、センサー本体４０１から出没自在の押し込みスイッチ４０２と、押し込み板４０３と、を有する。押し込み板４０３は、一端がセンサー本体４０１に回転自在に取り付けられている。
【００４６】
図８Ａは開閉ケース１１０が開状態のときのロール紙取付部３００及び開閉センサー４００の状態を示す。図８Ｂは開閉ケース１１０が閉状態のときのロール紙取付部３００及び開閉センサー４００の状態を示す。
【００４７】
図８Ａに示す開状態では、第２のアーム３１３は押し込み板４０３から離間しており、押し込み板４０３は押し込みスイッチ４０２から離間した状態にあり、押し込みスイッチ４０２は押し込まれていない。一方、ユーザーが開閉ケース１１０を閉じていくと、開閉ケース１１０の当接部１１２によって第１のアーム３１２が押され、ロール紙取付部３００のベース部３１０が図８における時計方向に回転する。このベース部３１０の回転に従って、第２のアーム３１３が押し込み板４０３の外面を摺動しながら押し込み板４０３を閉じる方向に回転させていく。
【００４８】
やがて、図８Ｂに示した開閉ケース１１０の閉状態となると、押し込み板４０３の押し込み面は完全にセンサー本体４０１の外面に一致し、押し込みスイッチ４０２が押し込み板４０３によって押し込まれた状態となる。この結果、開閉センサー４００は、開閉ケース１１０が閉状態となったことを検知できる。
【００４９】
図８Ｂの状態から開閉ケース１１０が開状態とされると、ベース部３１０がコイルバネ３１１の引っ張り力によって図の反時計方向に回転駆動される。この結果、ロール紙取付部３００及び開閉センサー４００は、図８Ａに示したような状態となり、押し込みスイッチ４０２が押し込まれていない状態となることにより、開閉センサー４００は開閉ケース１１０が開状態となったと検知する。
【００５０】
＜効果＞
以上説明したように、本実施の形態によれば、記録紙収容部１４０を閉塞する閉状態と記録紙収容部１４０を露出する開状態とを取り得る開閉ケース１１０と、開閉ケース１１０の開閉動作に連動して回転する回転部材（ベース部３１０）と、回転部材の回転方向の移動の全部又は一部を回転半径方向への移動に変換して、押し込みスイッチ４０２を押し込むことにより開閉ケースの開閉を検知する開閉センサー４００と、を設けたことにより、簡易な構成でありながら、開閉ケース１１０の開閉を信頼性良く検知できるレコーダー１００を実現できる。
【００５１】
つまり、開閉ケース１１０の開閉動作に連動して回転する回転部材（ベース部３１０）の回転方向の移動を回転半径方向への移動に変換して押し込みスイッチ４０２を押し込む構成としたことにより、開閉ケース１１０によって直接押し込みスイッチを押し込む構成と比較して、押し込みスイッチの破損を防止できるので、検知の信頼性が高まる。何故なら、回転半径方向の移動量は、回転部材の長さによって予め決まっている回転半径以上にはならないからである。また、その回転半径付近では、移動成分はほとんどが回転の接線方向であり、回転半径方向の移動は僅かなので、押し込みスイッチをソフトに押し込むことができるためである。
【００５２】
ここで押し込みスイッチを激しく押すと、押し込みスイッチが押された状態から戻らなくなるおそれもある。本実施の形態の構成では、押し込みスイッチをソフトに押し込むことができるので、これを防止できる。
【００５３】
また、本実施の形態によれば、開閉ケース１１０の開閉動作に連動して回転する回転部材として、ロール紙取付部３００の出没部材３３１の出没を規制するベース部３１０を用いたことにより、専用の回転部材を新たに設ける必要が無いので、構成を簡単化できる。
【００５４】
＜他の実施の形態＞
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００５５】
上述の実施の形態では、押し込みスイッチ４０２を押し込む押し込み板として、一端がセンサー本体４０１に回転自在に取り付けられているものを用いた場合について述べたが、本発明はこれに限らず、例えば両端がセンサー本体４０１に出没自在に取り付けられたものを用いてもよい。要は、回転部材の回転方向の移動の全部又は一部を回転半径方向への移動に変換して押し込みスイッチ４０２を押し込むことができる構成であればよい。
【００５６】
また、上述の実施の形態では、開閉ケース１１０の開閉動作に連動して回転する回転部材としてベース部３１０を流用した場合について述べたが、ベース部３１０以外の回転部材を設けてもよい。要は、開閉ケース１１０の開閉動作に連動して回転する回転部材を設ければよい。
【００５７】
さらに、上述の実施の形態では、本発明を心電計に適用した場合について述べたが、これに限らず、ロール紙や折畳紙等の記録紙に印字を行うレコーダーに広く適用可能である。例えば、レコーダーを有する脳波計、脈波計、ポリグラフ、生体情報モニター等にも適用可能である。
【００５８】
なお、本明細書における「出没」とは、ロール紙の方向に突き出た第１の位置と、当該第１の位置よりも引っ込んだ第２の位置とを取り得ることを意味し、単にベース部３１０との関係を意味するものではないことに注意されたい。特に「没位置」とはベース部３１０内に完全に没することを意味するものではない。
【産業上の利用可能性】
【００５９】
本発明は、ロール紙や折畳紙等の記録紙に印字を行うレコーダーに広く適用可能である。
【符号の説明】
【００６０】
１０  心電計
１００  レコーダー
１０１  開ボタン
１０２  排紙口
１０３、１０４  ロック爪
１１０  開閉ケース
１１１  回転軸
１１２  当接部
１２０  サーマルヘッド
１３０  プラテンローラー
１４０  記録紙収容部
２００  装置本体
３００  ロール紙取付部
３１０  ベース部
３１１、３３２  コイルバネ
３１２  第１のアーム
３１３  第２のアーム
３１４  第１の切欠
３１５  第２の切欠
３１６  第３の切欠
３３０  ペーパー押さえ部
３３１  出没部材
３３３  突起
４００  開閉センサー
４０１  センサー本体
４０２  押し込みスイッチ
４０３  押し込み板
５００  ケース
５０１  リブ
【図１】
2020075463.tif 000003
【図２】
2020075463.tif 000004
【図３】
2020075463.tif 000005
【図４】
2020075463.tif 000006
【図５】
2020075463.tif 000007
【図６】
2020075463.tif 000008
【図７】
2020075463.tif 000009
【図８】
2020075463.tif 000010